【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】
【請求項１】  突然変異型γ−アミノ酪酸Ａ型（ＧＡＢＡＡ）受容体サブユニットをコードする単離された哺乳類ＤＮＡ分子であって、点突然変異、欠失、挿入および再配列からなる群より選択される突然変異事象が起こっており、前記突然変異事象が集合したＧＡＢＡＡ受容体の機能を混乱させることを特徴とする単離された哺乳類ＤＮＡ分子、またはそれ以外は機能的なその断片もしくはホモログ。
【請求項２】  突然変異事象が、てんかんおよび／または不安および／または躁うつ病および／または恐怖強迫症状および／またはアルツハイマー病および／または精神分裂病および／または偏頭痛および／または肥満の表現型を生じることを特徴とする突然変異型γ−アミノ酪酸Ａ型（ＧＡＢＡＡ）受容体サブユニットをコードする単離された哺乳類ＤＮＡ分子。
【請求項３】  サブユニットがＧＡＢＡＡγサブユニットであることを特徴とする請求項２に記載の単離された哺乳類ＤＮＡ分子。
【請求項４】  γサブユニットがγ２サブユニットであることを特徴とする請求項３に記載の単離された哺乳類ＤＮＡ分子。
【請求項５】  前記突然変異事象がγ２サブユニットの細胞外領域をコードするヌクレオチドに起こることを特徴とする請求項４に記載の単離された哺乳類ＤＮＡ分子。
【請求項６】  前記突然変異事象がＧＡＢＡ応答のジアゼパムによる増強を消失または減少させることを特徴とする請求項５に記載の単離された哺乳類ＤＮＡ分子。
【請求項７】  前記突然変異事象がベンゾジアゼピン結合ドメインをコードするヌクレオチドに起こることを特徴とする請求項６に記載の単離された哺乳類ＤＮＡ分子。
【請求項８】  前記突然変異事象がγ２サブユニットの大細胞外ループをコードするヌクレオチドに起こることを特徴とする請求項７に記載の単離された哺乳類ＤＮＡ分子。
【請求項９】  突然変異が点突然変異であることを特徴とする請求項４から８のいずれか一つに記載の単離された哺乳類ＤＮＡ分子。
【請求項１０】  点突然変異が高度に保存されたアミノ酸残基の別のアミノ酸残基による置換をもたらすことを特徴とする請求項９に記載の単離された哺乳類ＤＮＡ分子。
【請求項１１】  前記突然変異事象が成熟γ２サブユニットの４３番目の残基で高度に保存されたアルギニンの置換をもたらすことを特徴とする請求項１０に記載の単離された哺乳類ＤＮＡ分子。
【請求項１２】  前記突然変異事象がグルタミンによる高度に保存されたアルギニンの置換をもたらすことを特徴とする請求項１１に記載の単離された哺乳類ＤＮＡ分子。
【請求項１３】  前記突然変異事象がγ２サブユニットの４７１位のＧからＡへのヌクレオチド置換であることを特徴とする請求項１２に記載の単離された哺乳類ＤＮＡ分子。
【請求項１４】  配列番号１に記載のヌクレオチド配列を有する請求項１３に記載の単離された哺乳類ＤＮＡ分子。
【請求項１５】  点突然変異、欠失、挿入および再配列からなる群より選択される１または複数の追加突然変異事象が起こっていることを特徴とする請求項１から１３のいずれか一つに記載の単離された哺乳類ＤＮＡ分子。
【請求項１６】  前記１または複数の追加突然変異事象が保存的アミノ酸置換をもたらす点突然変異であることを特徴とする請求項１５に記載の単離された哺乳類ＤＮＡ分子。
【請求項１７】  配列番号１に記載のヌクレオチド配列を含む単離された哺乳類ＤＮＡ分子。
【請求項１８】  配列番号１に記載のヌクレオチド配列からなる単離された哺乳類ＤＮＡ分子。
【請求項１９】  前記突然変異事象がＧＡＢＡＡγ２サブユニットの第３膜貫通ドメインと第４膜貫通ドメインの間の大細胞質ループに起こっていることを特徴とする請求項４に記載の単離された哺乳類ＤＮＡ分子。
【請求項２０】  前記突然変異事象が点突然変異であることを特徴とする請求項１９に記載の単離された哺乳類ＤＮＡ分子。
【請求項２１】  前記突然変異事象がγ２サブユニットの１３９４位のＣからＴへのヌクレオチド置換であることを特徴とする請求項２０に記載の単離された哺乳類ＤＮＡ分子。
【請求項２２】  前記突然変異事象がコードされた成熟γ２サブユニットタンパク質の３５１位での停止コドンの導入をもたらすことを特徴とする請求項２１に記載の単離された哺乳類ＤＮＡ分子。
【請求項２３】  配列番号２に記載のヌクレオチド配列を有する請求項２２に記載の単離された哺乳類ＤＮＡ分子。
【請求項２４】  点突然変異、欠失、挿入および再配列からなる群より選択される１または複数の追加突然変異事象が起こっていることを特徴とする請求項１９から２２のいずれか一つに記載の単離された哺乳類ＤＮＡ分子。
【請求項２５】  前記１または複数の追加突然変異事象が保存的アミノ酸置換をもたらす点突然変異であることを特徴とする請求項２４に記載の単離された哺乳類ＤＮＡ分子。
【請求項２６】  配列番号２に記載のヌクレオチド配列を含む単離された哺乳類ＤＮＡ分子。
【請求項２７】  配列番号２に記載のヌクレオチド配列からなる単離された哺乳類ＤＮＡ分子。
【請求項２８】  前記突然変異事象がＧＡＢＡＡδサブユニットに起こることを特徴とする請求項２に記載の単離された哺乳類ＤＮＡ分子。
【請求項２９】  前記突然変異事象が点突然変異であることを特徴とする請求項２８に記載の単離された哺乳類ＤＮＡ分子。
【請求項３０】  点突然変異がコードされた成熟タンパク質の１７２位でのアルギニン残基の置換をもたらすことを特徴とする請求項２９に記載の単離された哺乳類ＤＮＡ分子。
【請求項３１】  アルギニン残基がシステイン残基により置換されることを特徴とする請求項３０に記載の単離された哺乳類ＤＮＡ分子。
【請求項３２】  前記突然変異事象がδサブユニットの６５８位でのＣからＴへのヌクレオチド置換であることを特徴とする請求項３１に記載の単離された哺乳類ＤＮＡ分子。
【請求項３３】  ヌクレオチド配列が配列番号３に記載されているものであることを特徴とする請求項３２に記載の単離された哺乳類ＤＮＡ分子。
【請求項３４】  点突然変異、欠失、挿入および再配列からなる群より選択される１または複数の追加突然変異事象が起こっていることを特徴とする請求項３０から３２のいずれか一つに記載の単離された哺乳類ＤＮＡ分子。
【請求項３５】  前記１または複数の追加突然変異事象が保存的アミノ酸置換をもたらす点突然変異であることを特徴とする請求項３４に記載の単離された哺乳類ＤＮＡ分子。
【請求項３６】  配列番号３に記載のヌクレオチド配列を含む単離された哺乳類ＤＮＡ分子。
【請求項３７】  配列番号３に記載のヌクレオチド配列からなる単離された哺乳類ＤＮＡ分子。
【請求項３８】  突然変異型γ−アミノ酪酸Ａ型（ＧＡＢＡＡ）受容体サブユニットである単離された哺乳類ポリペプチドであって、置換、欠失、切断、挿入および再配列からなる群より選択される突然変異事象が起こっており、前記突然変異事象が集合したＧＡＢＡＡ受容体の機能を混乱させることを特徴とする単離された哺乳類ポリペプチド、またはそれ以外は機能的なその断片もしくはホモログ。
【請求項３９】  突然変異事象が、てんかんおよび／または不安および／または躁うつ病および／または恐怖強迫症状および／またはアルツハイマー病および／または精神分裂病および／または偏頭痛および／または肥満の表現型を生じることを特徴とする突然変異型γ−アミノ酪酸Ａ型（ＧＡＢＡＡ）受容体サブユニットである単離された哺乳類ポリペプチド。
【請求項４０】  配列番号４に記載のアミノ酸配列を有する請求項３９に記載の単離された哺乳類ポリペプチド。
【請求項４１】  置換、欠失、切断、挿入および再配列からなる群より選択される１または複数の追加突然変異事象が起こっていることを特徴とする請求項３９に記載の単離された哺乳類ポリペプチド。
【請求項４２】  前記１または複数の追加突然変異事象が保存的置換であることを特徴とする請求項４１に記載の単離された哺乳類ポリペプチド。
【請求項４３】  配列番号４に記載のアミノ酸配列を含む単離された哺乳類ポリペプチド。
【請求項４４】  配列番号４に記載のアミノ酸配列からなる単離された哺乳類ポリペプチド。
【請求項４５】  前記突然変異事象がγ２サブユニットタンパク質の第３膜貫通ドメインと第４膜貫通ドメインの間の大細胞質ループに起こっていることを特徴とする請求項３９に記載の単離された哺乳類ポリペプチド。
【請求項４６】  前記突然変異事象が切断であることを特徴とする請求項４５に記載の単離された哺乳類ポリペプチド。
【請求項４７】  欠失が成熟γ２サブユニットの３５１位からであることを特徴とする請求項４６に記載の単離された哺乳類ポリペプチド。
【請求項４８】  配列番号５に記載のアミノ酸配列を有する請求項４７に記載の単離された哺乳類ポリペプチド。
【請求項４９】  置換、欠失、切断、挿入および再配列からなる群より選択される１または複数の追加突然変異事象が起こっていることを特徴とする請求項４８に記載の単離された哺乳類ポリペプチド。
【請求項５０】  前記１または複数の突然変異事象が保存的置換であることを特徴とする請求項４９に記載の単離された哺乳類ポリペプチド。
【請求項５１】  配列番号５に記載のアミノ酸配列を含む単離された哺乳類ポリペプチド。
【請求項５２】  配列番号５に記載のアミノ酸配列からなる単離された哺乳類ポリペプチド。
【請求項５３】  サブユニットがＧＡＢＡＡδサブユニットであることを特徴とする請求項３９に記載の単離された哺乳類ポリペプチド。
【請求項５４】  前記突然変異事象がＧＡＢＡＡδサブユニットの細胞外領域で起こることを特徴とする請求項５３に記載の単離された哺乳類ポリペプチド。
【請求項５５】  前記突然変異事象がＧＡＢＡＡδサブユニットの大細胞外ループで起こることを特徴とする請求項５４に記載の単離された哺乳類ポリペプチド。
【請求項５６】  前記突然変異事象が置換であることを特徴とする請求項５３から５５のいずれか一つに記載の単離された哺乳類ポリペプチド。
【請求項５７】  前記突然変異事象が成熟δサブユニットの１７２番目の残基でアルギニンの置換をもたらすことを特徴とする請求項５６に記載の単離された哺乳類ポリペプチド。
【請求項５８】  前記突然変異事象がシステインによるアルギニンの置換をもたらすことを特徴とする請求項５７に記載の単離された哺乳類ポリペプチド。
【請求項５９】  配列番号６に記載のアミノ酸配列を有する請求項５８に記載の単離された哺乳類ポリペプチド。
【請求項６０】  置換、欠失、切断、挿入および再配列からなる群より選択される１または複数の追加突然変異事象が起こっていることを特徴とする請求項５４から５８のいずれか一つに記載の単離された哺乳類ポリペプチド。
【請求項６１】  前記１または複数の突然変異事象が保存的置換であることを特徴とする請求項６０に記載の単離された哺乳類ポリペプチド。
【請求項６２】  配列番号６に記載のアミノ酸配列を含む単離された哺乳類ポリペプチド。
【請求項６３】  配列番号６に記載のアミノ酸配列からなる単離された哺乳類ポリペプチド。
【請求項６４】  請求項３８から６３のいずれか一つに記載のサブユニットを含む集合したＧＡＢＡＡ受容体である単離された哺乳類ポリペプチド。
【請求項６５】  突然変異型ＧＡＢＡＡ受容体サブユニットであるポリペプチドを製造する方法であって：
（１）請求項１から３７のいずれか一つに記載のＤＮＡ分子を含む発現ベクターをトランスフェクトした宿主細胞をポリペプチド産生に有効な条件で培養する工程；および
（２）突然変異型ＧＡＢＡＡ受容体サブユニットを収集する工程
を含む方法。
【請求項６６】  突然変異型ＧＡＢＡＡサブユニットと他のＧＡＢＡＡサブユニットとを哺乳類ＧＡＢＡＡ受容体へと集合させ、そして集合した受容体を収集する工程をさらに含む請求項６５に記載の方法。
【請求項６７】  請求項３８から６３のいずれか一つに記載のポリペプチドとは免疫反応するが、野生型ＧＡＢＡＡ受容体またはそのサブユニットとは免疫反応しない抗体。
【請求項６８】  抗体がポリクローナル抗体、モノクローナル抗体、キメラ抗体、一本鎖抗体およびＦ（ａｂ′）２およびＦａｂのような抗体断片からなる群より選択されることを特徴とする請求項６７に記載の抗体。
【請求項６９】  野生型ＧＡＢＡＡ受容体または受容体サブユニットおよび／または野生型ＧＡＢＡＡ受容体または受容体サブユニットをコードする単離されたＤＮＡ分子または野生型または請求項６４に記載の突然変異型ＧＡＢＡＡ受容体のアゴニストまたはモジュレーターを有効成分として含む、てんかんおよび／または不安および／または躁うつ病および／または恐怖強迫症状および／またはアルツハイマー病および／または精神分裂病および／または偏頭痛および／または肥満を処置するための医薬。
【請求項７０】  請求項６４に記載の突然変異型ＧＡＢＡＡ受容体の選択的アンタゴニストまたはモジュレーターを有効成分として含む、てんかんおよび／または不安および／または躁うつ病および／または恐怖強迫症状および／またはアルツハイマー病および／または精神分裂病および／または偏頭痛および／または肥満を処置するための医薬。
【請求項７１】  請求項１から３７のいずれか一つに記載の単離された哺乳類ＤＮＡ分子に相補的であるＤＮＡ分子を有効成分として含む、てんかんおよび／または不安および／または躁うつ病および／または恐怖強迫症状および／またはアルツハイマー病および／または精神分裂病および／または偏頭痛および／または肥満を処置するための医薬。
【請求項７２】  てんかんおよび／または不安および／または躁うつ病および／または恐怖強迫症状および／またはアルツハイマー病および／または精神分裂病および／または偏頭痛および／または肥満の診断のための請求項１から３７のいずれか一つに記載の単離された哺乳類ＤＮＡ分子の使用。
【請求項７３】  てんかんおよび／または不安および／または躁うつ病および／または恐怖強迫症状および／またはアルツハイマー病および／または精神分裂病および／または偏頭痛および／または肥満の診断における請求項３８から６４のいずれか一つに記載のポリペプチドの使用。
【請求項７４】  てんかんおよび／または不安および／または躁うつ病および／または恐怖強迫症状および／またはアルツハイマー病および／または精神分裂病および／または偏頭痛および／または肥満の診断における請求項６７または６８に記載の抗体の使用。
【請求項７５】  てんかんおよび／または不安および／または躁うつ病および／または恐怖強迫症状および／またはアルツハイマー病および／または精神分裂病および／または偏頭痛および／または肥満の診断のための方法であって：
（１）てんかんおよび／または不安および／または躁うつ病および／または恐怖強迫症状および／またはアルツハイマー病および／または精神分裂病および／または偏頭痛および／または肥満の疑いのある対象からＤＮＡを採取する工程；および
（２）前記ＤＮＡのＧＡＢＡＡ受容体のサブユニットのＤＮＡ配列と野生型ＧＡＢＡＡ受容体の対応するサブユニットのＤＮＡ配列とを比較する工程
を含む方法。
【請求項７６】  各ＤＮＡ断片は配列決定され、その配列が比較されることを特徴とする請求項７５に記載の方法。
【請求項７７】  ＤＮＡ断片は制限酵素分析に供されることを特徴とする請求項７５に記載の方法。
【請求項７８】  ＤＮＡ断片はＳＳＣＰ分析に供されることを特徴とする請求項７５に記載の方法。
【請求項７９】  てんかんおよび／または不安および／または躁うつ病および／または恐怖強迫症状および／またはアルツハイマー病および／または精神分裂病および／または偏頭痛および／または肥満の診断のための方法であって：
（１）てんかんおよび／または不安および／または躁うつ病および／または恐怖強迫症状および／またはアルツハイマー病および／または精神分裂病および／または偏頭痛および／または肥満の疑いのある対象からＧＡＢＡＡ受容体を採取する工程；および
（２）前記受容体のサブユニットと野生型ＧＡＢＡ受容体の対応するサブユニットを比較する工程
を含む方法。
【請求項８０】  候補医薬化合物のスクリーニングにおける請求項３８から６４のいずれか一つに記載のポリペプチドの使用。
【請求項８１】  ハイスループットスクリーニング技術が用いられることを特徴とする請求項８０に記載の使用。
【請求項８２】  請求項１から３７のいずれか一つに記載の単離されたＤＮＡ分子で形質転換された遺伝子改変非ヒト動物。
【請求項８３】  動物がラット、マウス、ハムスター、モルモット、ウサギ、イヌ、ネコ、ヤギ、ヒツジ、ブタならびにサルおよびチンパンジーなどの非ヒト霊長類からなる群より選択される請求項８２に記載の遺伝子改変非ヒト動物。
【請求項８４】  動物がマウスである請求項８３に記載の遺伝子改変非ヒト動物。
【請求項８５】  候補医薬化合物のスクリーニングにおける請求項８１から８４のいずれか一つに記載の遺伝子改変非ヒト動物の使用。
【請求項８６】  候補医薬化合物のスクリーニングにおける請求項１から３７のいずれか一つに記載のＤＮＡ分子で形質転換された宿主細胞の使用。
【請求項８７】  請求項１から３７のいずれか一つに記載のＤＮＡ分子で形質転換された宿主細胞。
【請求項８８】  請求項１から３７のいずれか一つに記載のＤＮＡ分子を含む発現ベクター。